(57)【要約】【課題】  放熱効果の高い携帯型電子機器及びビデオカメラの放熱装置を提供する。【解決手段】  カメラ部２にＶＴＲ部３を回動自在に取り付けてなるビデオカメラ１において、カメラ部２とＶＴＲ部３の間に室１３を隔成し、この室１３内にＶＴＲ部３と連動して回動する羽根１２を収容する。この羽根１２の回動にともなって、カメラ部２の筐体２ａ内の空気を攪拌し、液晶表示装置収納部１５の側面の通風口１６,１７を通して外気と循環させる。【選択図】図３
2005123470.tif 000002
【特許請求の範囲】
【請求項１】
回動操作部を備えた携帯型電子機器において、上記回動操作部と連動して回動する羽根を筐体の内部に設けるとともに、該羽根の回動にともなって筐体内の空気を外気と循環させる通風口を上記筐体に設けたことを特徴とする携帯型電子機器の放熱装置。
【請求項２】
上記回動操作部を本体部の筐体に設けるとともに、上記回動操作部と本体部との間に室を隔成し、該室内に上記羽根を回動操作部の回動軸と結合して収容し、上記室を本体部の筐体内に連通させたことを特徴とする請求項１に記載の携帯型電子機器の放熱装置。
【請求項３】
上記室を円形に形成してその周面に上記羽根の先端を摺接させるとともに、上記室の内部に回動操作部の回動軸から周壁に到る隔壁を設け、上記本体部の筐体で上記室に面する箇所に、上記隔壁を挟むようにして孔を一対貫設したことを特徴とする請求項２に記載の携帯型電子機器の放熱装置。
【請求項４】
上記本体部がカメラ部であって、上記回動操作部がＶＴＲ部であることを特徴とするビデオカメラの放熱装置。
【発明の詳細な説明】
【技術分野】
【０００１】
本発明は、携帯型電子機器の筐体内で発生する熱を外部に放出する放熱装置に関する。
【背景技術】
【０００２】
携帯型電子機器には、パワートランジスタ等の発熱素子が多数使用されている。従来は、基板の発熱部分に放熱板を取り付けたり、発熱部分を金属プレートで覆ったりするなどの放熱対策が採られていた。
【発明の開示】
【発明が解決しようとする課題】
【０００３】
しかし、このような自然放熱による方法では、十分な放熱効果が得られず、発熱素子の温度上昇の抑制が困難になる場合がある。
【０００４】
本発明は、このような事情に鑑み、放熱効果の高い携帯型電子機器及びビデオカメラの放熱装置を提供することを目的とする。
【課題を解決するための手段】
【０００５】
上記課題を解決するための本発明は、回動操作部を備えた携帯型電子機器において、上記回動操作部と連動して回動する羽根を筐体の内部に設けるとともに、該羽根の回動にともなって筐体内の空気を外気と循環させる通風口を上記筐体に設けたことを特徴とする。
【０００６】
かかる構成によれば、回動操作部を回動させると、羽根が回動して筐体内の空気を攪拌させ、筐体内の空気が通風口を通して外気と循環する。よって、筐体内に発生した熱が効果的に排出され、発熱部の温度上昇の抑制に役立つ。
【０００７】
上記回動操作部を本体部の筐体に設けるとともに、上記回動操作部と本体部との間に室を隔成し、該室内に上記羽根を回動操作部の回動軸と結合して収容し、上記室を本体部の筐体内に連通させるのが好ましい。
【０００８】
かかる構成によれば、回動操作部を回動させると、室内で羽根が回動し、筐体内の空気が通風口を通して外気と循環する。回動操作部と本体部との間に室を隔成し、この室内に羽根を収容してあるので、筐体のコンパクト化が図られるとともに、回動操作部の回動軸に羽根を結合してあるので、機構が簡単になるという効果がある。
【０００９】
上記室を円形に形成してその周面に上記羽根の先端を摺接させるとともに、上記室の内部に回動操作部の回動軸から周壁に到る隔壁を設け、上記本体部の筐体で上記室に面する箇所に、上記隔壁を挟むようにして孔を一対貫設するのが好ましい。
【００１０】
かかる構成によれば、隔壁の両側に配設された孔のうち、室内の空気が一方の孔から本体部の筐体内に流出するとともに、他方の孔からは本体部の筐体内の空気が室内に流入する。よって、筐体内の空気の循環が効率よく行なわれ、放熱性が高くなる。
【００１１】
以上の携帯型電子機器は、上記本体部がカメラ部であって、上記回動操作部がＶＴＲ部であるビデオカメラであるのが好ましい。
【発明の効果】
【００１２】
本発明によれば、回動操作部の回動にともなって、羽根が回動して筐体内の空気を外気と循環させるので、放熱効果が高くなる。
【発明を実施するための最良の形態】
【００１３】
以下、本発明の実施の形態を添付図面を参照して説明する。
図１〜図３は本発明の実施形態であるビデオカメラを示すもので、図１は図２のＩＩ−ＩＩ線断面を示し、図２と図３はそれぞれ図１のＩ−Ｉ線とＩＩＩ−ＩＩＩ線断面を示している。
【００１４】
このビデオカメラ１はカメラ部（本体部）２とＶＴＲ部（回動操作部）３とからなり、ＶＴＲ部３をカメラ部２に回動自在に取り付けたものである。つまり、ＶＴＲ部３のグリップバンド（図示せず）に手を掛けてＶＴＲ部３を握り、撮影アングルに応じてＶＴＲ部３を回動することで、撮影の際の、手首への負担を少なくしている。
【００１５】
カメラ部２の筐体２ａの側面中央部には、図４に示すように軸４が突設してあり、この軸４を中心として円形の周壁５を突設してある。この周壁５の内側で筐体２ａの側面には、軸４の近傍から半径方向に沿って延びて周壁５の近傍に到る隔壁６を突設してある。さらに、カメラ部１の筐体１ａで隔壁６を挟む両側には、孔７を一対貫設してある。また、筐体２ａの内面で一対の孔７,７の間には、隔壁６に連なるフレア８を設けてある（図３参照）。
【００１６】
ＶＴＲ部３の筐体３ａの側面中央部には、図５に示すように孔９を設けるとともに、その周縁部にボス１０を突設し、孔９を中心として円形の周壁１１を突設してある。この周壁１０の内側で筐体２ａの側面には、ボス１０から半径方向に沿って延びて周壁１１に到る羽根１２を突設してある。
【００１７】
そして、カメラ部２の軸４をＶＴＲ部３のボス１０に嵌入するとともに、カメラ部２の周壁５をＶＴＲ部３の周壁１１に外嵌し、軸４の先端を熱変形させて係止部１２を形成することで、カメラ部２とＶＴＲ部３を一体に組み付けてある。これによって、カメラ部２とＶＴＲ部３の間に室１３を隔成して羽根１２を収容してある。この室１３は、隔壁６の両側にある一対の孔７,７を介してカメラ部２の筐体２ａの内部に連通している。なお、図４に示す軸４と隔壁６の間の隙間はボス１０によって閉塞される一方、隔壁６と周壁５の間の隙間は周壁１１によって閉塞されることになる（図１参照）。
【００１８】
カメラ部２の筐体２ａの内部には、複数の基板１４が孔７,７に面するようにして立設配置されている（図３参照）。さらに、基板１４を挟んで孔７,７と反対側にある液晶表示装置収納部１５の側面には、上下一対の通風口１６,１７を形成するとともに、これら通風口１６,１７にフィルタ１８を設置してある。
【００１９】
いま、ＶＴＲ部３を時計方向に回転すると、室１３の内部で羽根１２が同じ方向に回転し、室１３内の空気が上方の孔７からカメラ部２の筐体２ａ内に流出するとともに、下方の孔７からはカメラ部２の筐体２ａ内の空気が室１３内に流入する。これにともなって、図３に矢印で示すような空気流がカメラ部２の筐体２ａの内部に生じ、カメラ部２の筐体２ａ内の空気が上方の通風口１６から外部に流出するとともに、下方の通気口１７からは外気がカメラ部２の筐体２ａ内に流入することになる。ＶＴＲ部３を反時計方向に回転すると、空気流の方向が逆になる。つまり、ＶＴＲ部３の回動操作によって、カメラ部２の筐体２ａ内の空気を外気と循環させることができるので、従来の自然放熱による方法に較べて、放熱効果が格段に良くなる。電源容量の制約上、電動ファンの設置が困難な携帯型の電子機器には、本発明の放熱装置が有用なものとなる。
【００２０】
なお、本発明の放熱装置は、以上の実施形態に限定されるものではなく、本発明の要旨を逸脱しない範囲内において種々の変形が可能である。
例えば、以上の実施形態では、軸４に支持されたボス１０に羽根１２を設けてあるが、ＶＴＲ部３をカメラ部２に直接軸支する場合、その回動軸に羽根１２を設けてもよい。
【産業上の利用可能性】
【００２１】
本発明の放熱装置は、ビデオカメラを始めとする各種の携帯型電子機器に対する利用が可能である。
【図面の簡単な説明】
【００２２】
【図１】本発明の一実施形態であるビデオカメラを示す図で、図２のＩＩ−ＩＩ線断面である。
【図２】図１のＩ−Ｉ線断面図である。
【図３】図１のＩＩＩ−ＩＩＩ線断面図である。
【図４】（ａ）は同ビデオカメラのカメラ部の正面図、（ｂ）はその側面図である。
【図５】（ａ）は同ビデオカメラのＶＴＲ部の正面図、（ｂ）はその側面図である。
【符号の説明】
【００２３】
１  ビデオカメラ
２  カメラ部
２ａ  筐体
３  ＶＴＲ部
３ａ  筐体
４  軸
５  周壁
６  隔壁
７  孔
８  フレア
９  孔
１０  ボス
１１  周壁
１２  羽根
１３  室
１４  基板
１５  液晶表示装置収納部
１６  通風口
１７  通風口
１８  フィルタ
【図１】
2005123470.tif 000003
【図２】
2005123470.tif 000004
【図３】
2005123470.tif 000005
【図４】
2005123470.tif 000006
【図５】
2005123470.tif 000007